(57)【要約】【課題】製造コストの低い携帯端末機を提供する。【解決手段】携帯端末機は、携帯端末機は、接地され、ＬＣＤが実装されるＬＣＤ板金と、一端が前記ＬＣＤ板金に接続され、前記一端と他端との間に給電点を有し、前記ＬＣＤ板金と同一の板金で形成されるアンテナエレメントとを含む。【選択図】図５
2014022785.tif 000002
【特許請求の範囲】
【請求項１】
ＬＣＤが実装され、接地されるＬＣＤ板金と、
一端が前記ＬＣＤ板金に接続され、前記一端と他端との間に給電点を有し、前記ＬＣＤ板金と同一の板金で形成されるアンテナエレメントと
を含む、携帯端末機。
【請求項２】
前記ＬＣＤ板金は平面視で長方形であり、
前記アンテナエレメントは、前記ＬＣＤ板金の長手方向の端部において、前記一端が前記ＬＣＤ板金に接続される、請求項１記載の携帯端末機。
【請求項３】
前記ＬＣＤ、前記ＬＣＤ板金、及び前記アンテナエレメントを収納する筐体をさらに含み、
前記アンテナエレメントは、前記筐体に固定される、請求項１又は２記載の携帯端末機。
【請求項４】
前記アンテナエレメントは、インサート成型によって少なくとも一部が前記筐体と一体的に形成されることにより、前記筐体に固定される、請求項３記載の携帯端末機。
【請求項５】
前記アンテナエレメントは、少なくとも一部が前記筐体に形成された溝部に嵌着されることによって前記筐体に固定される、請求項３記載の携帯端末機。
【発明の詳細な説明】
【技術分野】
【０００１】
本発明は、携帯端末機に関する。
【背景技術】
【０００２】
アンテナが表示側筐体に設けられる携帯端末機であって、アンテナは、表示側筐体と協働して外装面の一部を形成し、外装面にアンテナのアンテナ導体が設けられる携帯端末機があった。この携帯端末機は、基板又は接地導体等からアンテナ導体をより離間させている。
【先行技術文献】
【特許文献】
【０００３】
【特許文献１】特開２００９−０６０２６８号公報
【発明の概要】
【発明が解決しようとする課題】
【０００４】
ところで、従来の携帯端末機は、基板又は接地導体等からアンテナ導体をより離間させるために、表示側筐体と協働して外装面の一部を形成するアンテナを含む。
【０００５】
このような携帯端末機は、アンテナの部品点数が多く、製造コストが高いという課題があった。
【０００６】
そこで、製造コストの低い携帯端末機を提供することを目的とする。
【課題を解決するための手段】
【０００７】
本発明の実施の形態の携帯端末機は、接地され、ＬＣＤが実装されるＬＣＤ板金と、一端が前記ＬＣＤ板金に接続され、前記一端と他端との間に給電点を有し、前記ＬＣＤ板金と同一の板金で形成されるアンテナエレメントとを含む。
【発明の効果】
【０００８】
製造コストの低い携帯端末機を提供することができる。
【図面の簡単な説明】
【０００９】
【図１】比較例の携帯端末機１０を示す図である。
【図２】比較例の携帯端末機１０の内部構成を示す図である。
【図３】実施の形態１の携帯端末機１００を示す図である。
【図４】実施の形態１の携帯端末機１００のフロントケース１１０、ＬＣＤ板金１２０、及びアンテナエレメント１５０を示す図である。
【図５】実施の形態１の携帯端末機１００のＬＣＤ板金１２０及びプリント基板３０を示す図である。
【図６】逆Ｆ型のアンテナエレメントの構成を示す図である。
【図７】実施の形態１の携帯端末機１００の内部構造を示す図である。
【図８】実施の形態２の携帯端末機の下部の断面構造を示す図である。
【発明を実施するための形態】
【００１０】
以下、本発明の携帯端末機を適用した実施の形態について説明するにあたり、まず、比較例の携帯端末機について説明を行う。
【００１１】
＜比較例＞
図１は、比較例の携帯端末機１０を示す図である。図１に示す携帯端末機１０は、スマートフォンの端末機である。図１（Ａ）は携帯端末機１０を示す平面図、図１（Ｂ）はタッチパネル、操作ボタン、マイク、及びスピーカを取り外した状態の携帯端末機１０を示す平面図である。図１では、図示するようにＸＹＺ座標系を定義する。
【００１２】
図１（Ａ）に示すように、比較例の携帯端末機１０は、フロントケース１１、タッチパネル１２、操作ボタン１３、スピーカ１４、及びマイク１５を含む。
【００１３】
フロントケース１１は、携帯端末機１０の前面側の筐体である。フロントケース１１は、図示しない背面側のリアケースと結合された状態で、タッチパネル１２、及び図示しないＬＣＤ板金、プリント基板等を収納する。フロントケース１１は、モールド成型されることによって作製される。フロントケース１１の材料としては、例えば、ポリカーボネートを用いることができる。なお、ポリカーボネートにグラスファイバーを混入してもよい。
【００１４】
タッチパネル１２は、ＬＣＤ（Liquid Crystal Display：液晶ディスプレイ）と座標検出装置とを組み合わせたものであり、携帯端末機１０の操作部の一つである。タッチパネル１２を通じて、携帯端末機１０に対して種々の操作を行うことができる。
【００１５】
操作ボタン１３は、タッチパネル１２とは別に設けられている携帯端末機１０の操作部であり、携帯端末機１０のある特定の機能が割り当てられている。図１（Ａ）に示す３つの操作ボタン１３は、それぞれ、例えば、ホームキー、バックキー、メニューキーとして機能する。
【００１６】
図１（Ｂ）は、タッチパネル１２及び操作ボタン１３（図１（Ａ）参照）を取り外した状態の携帯端末機１０を示す。タッチパネル１２は、ＬＣＤ板金２０に実装されているため、図１（Ｂ）ではフロントケース１１の開口部１１ＡからＬＣＤ板金２０が露出している。また、フロントケース１１の開口部１１Ａの下側には、操作ボタン１３の裏側の突起を差し込むための３つの孔部１１Ｃが形成されている。
【００１７】
携帯端末機１０のアンテナは、符号１１Ｂの破線で示す領域内に実装される。アンテナの良好な放射特性を得るためには、アンテナの近傍に導電体が存在しないことが必要であるため、ＬＣＤ板金２０は、符号１１Ｂに示す破線の中には存在せず、符号１１Ｂで示す破線よりもＹ軸正方向側において、フロントケース１１の内部に収納されている。
【００１８】
同様に、ＬＣＤ基板２０の裏面側（Ｚ軸負方向側）に配置されるプリント基板は、配線層、電源層、及びグランド層を有する多層基板であるため、符号１１Ｂに示す破線の中には存在せず、符号１１Ｂで示す破線よりもＹ軸正方向側において、フロントケース１１の内部に収納されている。
【００１９】
図２は、比較例の携帯端末機１０の内部構成を示す図であり、（Ａ）は背面図、（Ｂ）は（Ａ）のＡ−Ａ矢視断面を示す図である。図２では、図１と同様に、図示するようにＸＹＺ座標系を定義する。
【００２０】
図２（Ａ）には、ＬＣＤ板金２０、プリント基板３０、無線通信回路４０、及びアンテナ５０を示す。
【００２１】
ＬＣＤ板金２０は、タッチパネル１２（図１（Ａ）参照）を保持する基板である。タッチパネル１２のＬＣＤは変形に弱いため、ステンレス鋼（ＳＵＳ）製のＬＣＤ板金２０でタッチパネル１２の変形を抑制している。
【００２２】
プリント基板３０は、配線層、電源層、及びグランド層を有する多層基板であり、ＬＣＤ板金２０の裏面側（Ｚ軸負方向側）に配設される。ＬＣＤ板金２０は、プリント基板３０のグランド層に接続されることにより、接地電位に保持されている。
【００２３】
無線通信回路４０は、プリント基板３０の裏面（Ｚ軸負方向側の面）に実装されており、アンテナ５０に接続されている。無線通信回路４０は、アンテナ５０を通じて信号の送受信を行う。
【００２４】
以上のように、比較例の携帯端末機１０では、符号１１Ｂで示す領域の中には、アンテナ５０は配設されているが、ＬＣＤ板金２０及びプリント基板３０は配設されていない。
【００２５】
これは、アンテナ５０の近傍にＬＣＤ板金２０及びプリント基板３０の導電層（配線層、電源層、及びグランド層）があると、アンテナ５０から出力される信号の電力が相殺されてしまい、良好な放射パターンが得られず、携帯端末機１０としての通信性能が低下するからである。
【００２６】
ところで、従来の携帯端末機１０のアンテナ５０は、符号１１Ｂで示す領域内において、例えば、フロントケース１１（図１（Ａ），（Ｂ）参照）又はリアケースの内側に沿って配設されている。アンテナ５０は、例えば、板金を打ち抜いたもの、又は、フレキシブル基板に貼り付けた銅箔をパターニングしたものを用いることができる。
【００２７】
しかしながら、このようなアンテナ５０は、板金を打ち抜くこと、又は、フレキシブル基板に貼り付けた銅箔等をパターニングすることによって形成する必要があるため、製造コストが高いという問題があった。
【００２８】
また、比較例の携帯端末機１０では、ＬＣＤ板金２０は、符号１１Ｂで示す領域には存在しないため、例えば、携帯端末機１０の利用者が携帯端末機１０を落としてしまったような場合に、符号１１Ｂで示す領域がある携帯端末機１０の下部の強度が十分ではないという問題があった。
【００２９】
従って、以下の実施の形態では、上述のような問題点を解決した携帯端末機を提供することを目的とする。
【００３０】
＜実施の形態１＞
図３は、実施の形態１の携帯端末機１００を示す図であり、（Ａ）は前面側を示す斜視図、（Ｂ）は、タッチパネル、操作ボタン、及びリアケースを取り外した状態の携帯端末機１０を示す平面図である。ここでは、携帯端末機１００がスマートフォンの端末機である形態について説明する。
【００３１】
以下において、比較例の携帯端末機１０の構成要素と同様の構成要素には同一符号を付し、その説明を省略する。また、図３では、図１及び図２と同様にＸＹＺ座標系を定義する。
【００３２】
図３（Ａ）に示すように、携帯端末機１００は、フロントケース１１０、リアケース１１１、タッチパネル１２、操作ボタン１３、スピーカ１４、及びマイク１５を含む。
【００３３】
フロントケース１１０は、図３（Ａ）に示すように、表面的には比較例の携帯端末機１０のフロントケース１１と同様である。また、リアケース１１１は、フロントケース１１０と組み合わされることによって携帯端末機１００の筐体を構築する。フロントケース１１０の材料としては、例えば、ポリカーボネートを用いることができる。なお、ポリカーボネートにグラスファイバーを混入してもよい。また、リアケース１１１の材料としては、ポリアミドを用いることができる。なお、ポリアミドにグラスファイバーを混入してもよい。
【００３４】
携帯端末機１００のリアケース１１１、タッチパネル１２、操作ボタン１３、スピーカ１４、及びマイク１５を取り外すと、図３（Ｂ）に示すように、前面側からはフロントケース１１０の開口部１１０ＡからＬＣＤ板金１２０が露出する。
【００３５】
実施の形態１の携帯端末機１００のＬＣＤ板金１２０は、ＬＣＤ板金１２０の下部（Ｙ軸負方向側の端部）に、ＬＣＤ板金１２０と連続的かつ一体的に形成されるアンテナエレメント１５０を有する。
【００３６】
アンテナエレメント１５０は、例えば、ＬＣＤ板金１２０とともに、プレス加工により金型を用いて金属板を打ち抜くことによってＬＣＤ板金１２０と一体的に形成される。図３（Ｂ）では、アンテナエレメント１５０は、フロントケース１１０の開口部１１０Ｂから一部が露出している。開口部１１０Ｂは、操作ボタン１３を配置するための開口部であり、タッチパネル１２を配置するための開口部１１０Ａの下側（Ｙ軸負方向側）にある。
【００３７】
なお、アンテナエレメント１５０は、ＬＣＤ板金１２０とともに一体的に同一の金属板で形成されていればよいため、プレス加工以外の方法で形成されてもよい。例えば、鋳型を用いた鋳造加工によって形成されてもよいし、金属板をカッター等で切断することによって形成してもよい。
【００３８】
図４は、実施の形態１の携帯端末機１００のフロントケース１１０、ＬＣＤ板金１２０、及びアンテナエレメント１５０を示す図である。図４（Ａ）は、図３（Ｂ）に示すフロントケース１１０、ＬＣＤ板金１２０、及びアンテナエレメント１５０を示す平面図であり、図４（Ｂ）は、図４（Ａ）に示すフロントケース１１０及びＬＣＤ板金１２０の下部の符号１１０Ｃで示す領域を拡大して示す図である。
【００３９】
実施の形態のＬＣＤ板金１２０及びアンテナエレメント１５０は、インサート形成によってフロントケース１１０と一体に形成される。
【００４０】
図４（Ａ）、（Ｂ）に破線で示すように、アンテナエレメント１５０は、平面視で矩形状のＬＣＤ板金１２０のＸ軸負方向側及びＹ軸負方向側に位置する角部１２１に一端１５１が接続され、Ｙ軸負方向側に延伸して角部１５２でＸ軸正方向側にＬ字型に折れ曲がり、他端１５３まで延在している。
【００４１】
角部１５２は、フロントケース１１０のＸ軸負方向側及びＹ軸負方向側の角の近傍に位置しており、他端１５３は、フロントケース１１０のＸ軸正方向側及びＹ軸負方向側の角の近傍に位置している。すなわち、アンテナエレメント１５０は、ＬＣＤ板金１２０のＸ軸負方向側及びＹ軸負方向側に位置する角部１２１から、フロントケース１１０のＹ軸負方向側の端辺１１０Ｄに沿ってＬ字型に形成されている。
【００４２】
また、アンテナエレメント１５０は、一端１５１と他端１５３との間に給電点１５４を有する。給電点１５４は、角部１５２と他端１５３との間において、角部１５２に近い位置にある。なお、給電の手段については図５を用いて後述する。
【００４３】
アンテナエレメント１５０には、３つの孔部１５５Ａ、１５５Ｂ、１５５Ｃが形成されている。孔部１５５Ａ〜１５５Ｃは、それぞれ、図３（Ａ）に示す３つの操作ボタン１３に対応しており、操作ボタン１３の裏側の突起を貫通させるために形成されている。給電点１５４は、孔部１５５Ａと孔部１５５Ｂの間に位置している。
【００４４】
図４（Ａ）、（Ｂ）では、給電点１５４と３つの孔部１５５Ａ〜１５５Ｃは、フロントケース１１０の開口部１１０Ｂから露出している。すなわち、アンテナエレメント１５０は、開口部１１０Ｂから露出する部分以外は、殆どの部位がフロントケース１１０に挿入された状態で固定されている。なお、アンテナエレメント１５０とフロントケース１１０の詳細な位置関係については図７を用いて後述する。
【００４５】
このようなアンテナエレメント１５０は、一端１５１と他端１５３との間に設けられる給電点１５４において給電されるため、所謂逆Ｆ型のアンテナとして機能する。
【００４６】
図５は、実施の形態１の携帯端末機１００のＬＣＤ板金１２０及びプリント基板３０を示す図であり、（Ａ）は背面図、（Ｂ）は（Ａ）のＡ−Ａ矢視断面を示す図である。また、図５（Ｃ）は、図５（Ｂ）に示す構成の変形例を示す図である。図５では、図４と同様に、図示するようにＸＹＺ座標系を定義する。
【００４７】
図５（Ａ）に示すように、ＬＣＤ板金１２０の裏面側には、プリント基板３０が配設される。プリント基板３０の背面には、図２（Ａ）に示すプリント基板３０と同様に、無線通信回路４０が実装される。なお、図５（Ｂ）ではＬＣＤ板金１２０の裏面側にプリント基板３０が直接配設される構成を示すが、ＬＣＤ板金１２０とプリント基板３０の間には、金属板等の構造物が設けられていてもよい。
【００４８】
図５（Ａ）には、図４（Ａ）、（Ｂ）に示すＬＣＤ板金１２０の表面とは反対側の裏面を示すため、アンテナエレメント１５０の形状は、図４（Ａ）、（Ｂ）とは逆になっている。
【００４９】
ここで、プレス加工により金型を用いて金属板を打ち抜くことによってアンテナエレメント１５０をＬＣＤ板金１２０と一体的に形成する場合は、図５（Ａ）に示すように、矩形状のＬＣＤ板金１２０に、Ｌ字型のアンテナエレメント１５０を付け足した形状の金型を用いて、プレス加工を行えばよい。
【００５０】
図５（Ａ）に示すように、アンテナエレメント１５０は、ＬＣＤ板金１２０のＸ軸負方向側及びＹ軸負方向側に位置する角部１２１に一端１５１が接続され、Ｙ軸負方向側に延伸して角部１５２でＸ軸正方向側にＬ字型に折れ曲がり、他端１５３まで延在している。また、アンテナエレメント１５０には、３つの孔部１５５Ａ、１５５Ｂ、１５５Ｃが形成されている。なお、３つの孔部１５５Ａ、１５５Ｂ、１５５Ｃは、例えば、プレス加工でアンテナエレメント１５０と同時に作製すればよい。
【００５１】
アンテナエレメント１５０は、ＬＣＤ板金１２０のＸ軸負方向側及びＹ軸負方向側に位置する角部１２１から、フロントケース１１０のＹ軸負方向側の端辺１１０Ｄに沿ってＬ字型に形成されている（図５（Ａ）では逆Ｌ字型に示す）。
【００５２】
また、アンテナエレメント１５０は、一端１５１と他端１５３との間に給電点１５４を有する。給電点１５４は、角部１５２と他端１５３との間において、角部１５２に近い位置にある。
【００５３】
アンテナエレメント１５０は、給電点１５４において、接点バネ１６０によって接点ランド１７０に接続されている。
【００５４】
接点バネ１６０は、例えば、銅板を折り曲げることによって板状のバネにしたものであり、一端１６１及び他端１６２を有する。一端１６１は、アンテナエレメント１５０の給電点１５４に接触し、他端１６２は接点ランド１７０に接触する。接点バネ１６０は、例えば、リアケース１１１に両面テープで貼り付けられることによって固定される。
【００５５】
接点バネ１６０は、フロントケース１１０とリアケース１１１の間に収容されたときに、Ｚ軸方向に押圧されることにより、アンテナエレメント１５０の給電点１５４と、接点ランド１７０に当接する。
【００５６】
接点ランド１７０は、プリント基板３０の裏面に設けられたランドであり、例えば、銅箔をパターニングすることによって形成される。接点ランド１７０は、図示しない配線によって無線通信回路４０に接続されている。接点ランド１７０と無線通信回路４０とを接続する配線は、プリント基板３０の裏面に形成される配線であってもよいし、内層に形成される配線であってもよい。なお、無線通信回路４０はプリント基板３０のグランド層に接続されている。
【００５７】
接点バネ１６０で接点ランド１７０とアンテナエレメント１５０とを接続することにより、無線通信回路４０から給電点１５４に給電を行うことができる。
【００５８】
また、接点バネ１６０は、フロントケース１１０とリアケース１１１の中に収容されたときに、Ｚ軸方向に押圧されることにより、アンテナエレメント１５０の給電点１５４と、接点ランド１７０に当接するため、自然長においてプリント基板３０の裏面とリアケース１１１との間の間隔よりもＺ軸方向の高さを有するように、折り曲げられていればよい。
【００５９】
このように、実施の形態１の携帯端末機１００のＬＣＤ板金１２０と一体的に形成されるアンテナエレメント１５０は、給電点１５４において、接点バネ１６０及び接点ランド１７０を介して無線通信回路４０から給電を受ける。
【００６０】
この給電点１５４は、アンテナエレメント１５０の一端１５１と他端１５３との間に位置しており、一端１５１はＬＣＤ板金１２０の角部１２１に接続されることによって接地され、他端１５３は開放端である。
【００６１】
従って、実施の形態１の携帯端末機１００のＬＣＤ板金１２０と一体的に形成されるアンテナエレメント１５０は、逆Ｆ型のアンテナとして機能する。
【００６２】
なお、アンテナエレメント１５０は、モノポール型のアンテナであるため、一端１５１と他端１５３との間の長さは、使用周波数の波長λの１／４の長さ（λ／４）に設定すればよい。また、給電点１５４は一端１５１と他端１５３との間であればどこにあってもよいが、例えば、アンテナエレメント１５０の帯域幅を調整するために、適切な位置に設定されればよい。ここでいう帯域幅とは、例えば、ＶＳＷＲ（Voltage Standing Wave Ratio）で使用周波数を中心として得られる特性の帯域幅のことである。また、給電点１５４は、他端１５３にあってもよい。
【００６３】
また、図５（Ａ）、（Ｂ）では、接点バネ１６０及び接点ランド１７０を用いてアンテナエレメント１５０の給電点１５４に給電を行う形態を示すが、アンテナエレメント１５０は、例えば、同軸ケーブルを用いて給電を受けてもよい。
【００６４】
例えば、図５（Ａ）、（Ｂ）に示す接点バネ１６０及び接点ランド１７０の代わりに、図５（Ｃ）に示すように、同軸ケーブル１８０の一端側の芯線１８１を半田１８１Ａでアンテナエレメント１５０の給電点１５４に接続するとともに、一端側のシールド線を半田１８２でプリント基板３０のグランド層に接続する。また、同軸ケーブル１８０の他端１８３を無線通信回路４０に接続する。このようにしても、無線通信回路４０からアンテナエレメント１５０の給電点１５４に給電を行うことができる。
【００６５】
図６は、逆Ｆ型のアンテナエレメントの構成を示す図である。
【００６６】
図５（Ａ）、（Ｂ）、（Ｃ）に示すアンテナエレメント１５０は、図６に示すような逆Ｆ型のアンテナエレメント１５０Ａと等価である。図６に示す逆Ｆ型のアンテナエレメント１５０Ａは、地板として機能するＬＣＤ板金１２０の角部１２１に一端１５１が接続され、Ｙ軸負方向側に延伸して角部１５２でＸ軸正方向側にＬ字型に折れ曲がり、他端１５３まで延在している。
【００６７】
また、図６では給電線１５４Ａを介して接続される給電部１５４を示す。図６に示すアンテナエレメント１５０Ａは、図５（Ａ）、（Ｂ）、（Ｃ）に示すアンテナエレメント１５０と等価である。
【００６８】
以上のように、実施の形態１によれば、ＬＣＤ板金１２０に一体的に形成されるアンテナエレメント１５０を逆Ｆ型のアンテナとして機能させることができる。
【００６９】
次に、図７を用いて、ＬＣＤ板金１２０及びアンテナエレメント１５０の固定方法について説明する。
【００７０】
図７は、実施の形態１の携帯端末機１００の内部構造を示す図である。図７（Ａ）は、携帯端末機１００を示す斜視図、（Ｂ）は（Ａ）のＣ−Ｃ矢視断面図であり、アンテナエレメント１５０の孔部１５５Ｂの中心を通る断面である。
【００７１】
図７（Ａ）に示す携帯端末機１００は、図３（Ａ）に示す携帯端末機１００と同様である。また、図７（Ｂ）の断面図では、主に、フロントケース１１０と、ＬＣＤ板金１２０及びアンテナエレメント１５０との断面構造を示し、その他の部分の断面構造を概略的に示す。
【００７２】
図７（Ｂ）に示すように、図７（Ａ）のＣ−Ｃ矢視断面では、タッチパネル１２の下に操作ボタン１３が配設され、操作ボタン１３の下には化粧板１１２が取り付けられている。
【００７３】
タッチパネル１２は、ＬＣＤ板金１２０に保持されている。ＬＣＤ板金１２０は、インサート形成により、フロントケース１１０と一体にされている。ＬＣＤ板金１２０とプリント基板３０との間には、金属板１２１が配設されている。ＬＣＤ板金１２０は、金属板１２１を介して、プリント基板３０のグランド層に電気的に接続されている。プリント基板３０は、金属板１２１とリアケース１１１との間に配設されている。
【００７４】
ここで、インサート成型とは、フロントケース１１０をモールド成型するための金型に、ＬＣＤ板金１２０及びアンテナエレメント１５０を挿入し、位置合わせを行った状態で、金型内に樹脂を充填することによって、フロントケース１１０を成型することをいう。このインサート成型により、ＬＣＤ板金１２０及びアンテナエレメント１５０は、フロントケース１１０と一体的に形成される。なお、インサート成型は、所謂インサートモールド成型と同義である。
【００７５】
リアケース１１１の上側にはバッテリ１１３が配設されている。なお、リアケース１１１は、実際にはＹ軸正方向側に延在しており、バッテリ１１３は、背面視ではリアケース１１１の凹部に収納されている。バッテリ１１３は、バッテリカバー１１４によって覆われている。バッテリカバー１１４は、係合部１１４Ａでリアケース１１１に係合している。なお、バッテリ１１３は、一例として、Ｙ軸方向において、携帯端末機１００の全体のうちの下方に配設されている。
【００７６】
フロントケース１１０の下部１１０Ｅと、リアケース１１１との間には、充電端子１１５が配設されている。充電端子１１５は、防水ゴム１１６によってシールされている。充電端子１１５とフロントケース１１０との間には、スペーサ１１７が配設されている。
【００７７】
上述のように、実施の形態１の携帯端末機１００では、ＬＣＤ板金１２０及びアンテナエレメント１５０は、インサート形成によってフロントケース１１０と一体になっている。ＬＣＤ板金１２０は、インサート形成によってフロントケース１１０のＹ軸方向における中間部と一体に形成されており、アンテナエレメント１５０は、インサート形成によってフロントケース１１０の下部１１０Ｅに挿入された状態で固定されている。
【００７８】
また、操作ボタン１３の裏側の突起１３Ａは、アンテナエレメント１５０の孔部１５５Ｂを貫通し、アンテナエレメント１５０よりもＺ軸負方向側で、Ｙ軸正方向側に曲がっている。操作ボタン１３の裏側の突起１３Ａの先端は、プリント基板３０に搭載されたスイッチ部３１に当接している。スイッチ部３１は、例えば、銅箔が形成されたフレキシブル基板を二枚向かい合わせて配設した接点であり、操作スイッチ１３が押されると、裏側の突起１３Ａがスイッチ部３１を押すことにより、スイッチ部３１の接点が導通する。
【００７９】
なお、図７（Ｂ）には、図７（Ａ）に示す３つの操作ボタン１３のうちの真ん中の操作ボタン１３を断面を示すが、残りの２つの操作ボタン１３の裏側の突起１３Ａは、アンテナエレメント１５０の孔部１５５Ａ及び１５５Ｃを貫通し、スイッチ部３１に当接する。
【００８０】
以上のように、実施の形態１の携帯端末機１００によれば、ＬＣＤ板金１２０とアンテナエレメント１５０は、同一の板金で一体的に形成されているので、比較例の携帯端末機１０に比べて部品点数を減らすことができ、製造コストを低減することができる。
【００８１】
また、実施の形態１の携帯端末機１００は、アンテナエレメント１５０がインサート形成によってフロントケース１１０と一体的に形成されることにより、フロントケース１１０の下部１１０Ｅに挿入されて固定されている。
【００８２】
従って、携帯端末機１００の下部をＬＣＤ板金１２０及びアンテナエレメント１５０で補強することができ、携帯端末機１００の下部の強度を増大することができる。
【００８３】
比較例の携帯端末機１０では、ＬＣＤ板金２０は、携帯端末機１０の下部には存在しないため、例えば、携帯端末機１０の利用者が携帯端末機１０を落としてしまったような場合に、携帯端末機１０の下部の強度が十分ではないという問題があった。
【００８４】
これに対して、実施の形態１の携帯端末機１００では、携帯端末機１００の下部に、ＬＣＤ板金１２０と同一の金属板から形成されるアンテナエレメント１５０が配設されており、アンテナエレメント１５０は、フロントケース１１０の下部１１０Ｅとインサート形成によって一体的に形成されている。
【００８５】
従って、実施の形態１の携帯端末機１００は、下部の強度が比較例の携帯端末機１０よりも飛躍的に向上している。実施の形態の携帯端末機１００は、下部に十分な強度を有する。
【００８６】
従って、万一、利用者が携帯端末機１００を落としてしまった場合でも、携帯端末機１００が破損することを抑制することができる。
【００８７】
特に、バッテリ１１３がＹ軸方向において携帯端末機１００の全体のうちの下方に配設されている場合には、携帯端末機１００が落下する場合には、下部から落下する傾向がある。これは、携帯端末機１００に含まれる構成要素のうち、バッテリ１１３は非常に重い構成要素であり、重心が下部側にあるためである。
【００８８】
携帯端末機１００が上述のような重量配分を有する場合には、携帯端末機１００の下部を補強することは非常に効果的である。
【００８９】
なお、以上では、インサート形成によってアンテナエレメント１５０がフロントケース１１０の下部１１０Ｅに挿入されることによって固定されている形態について説明した。
【００９０】
しかしながら、リアケース１１１が携帯端末機１００の下部にまで延在している場合は、アンテナエレメント１５０をインサート形成によってリアケース１１１と一体的に形成してもよい。
【００９１】
また、以上では、アンテナエレメント１５０の殆どの部位がフロントケース１１０に挿入されている形態について説明したが、アンテナエレメント１５０は、少なくともその一部がフロントケース１１０に挿入されて固定されていればよい。
【００９２】
また、以上では、携帯端末機１００の下部にアンテナエレメント１５０が配設される形態について説明したが、携帯端末機１００の下部に加えて、もう一つのアンテナエレメントが携帯端末機１００の上部に配設されていてもよい。このように上部に設けられるアンテナエレメントは、携帯端末機１００の下部に配設されるアンテナエレメント１５０と同様に、ＬＣＤ板金１２０と一体的に形成され、インサート形成によってフロントケース１１０と一体的に形成すればよい。また、アンテナエレメント１５０を携帯端末機１００の下部ではなく、上部に設けてもよい。
【００９３】
また、以上では、携帯端末機１００がスマートフォンの端末機である形態について説明したが、携帯端末機１００は、スマートフォンの端末機に限らず、所謂携帯電話の端末機、又は、通話を行わない情報端末機であってもよい。
【００９４】
＜実施の形態２＞
図８は、実施の形態２の携帯端末機の下部の断面構造を示す図である。図８に示す断面は、図７（Ｂ）に示す断面に対応する。このため、実施の形態１の携帯端末機１００と同様の構成要素には同一符号を付し、その説明を省略する。
【００９５】
実施の形態２の携帯端末機２００は、外観は図７（Ａ）に示す実施の形態１の携帯端末機１００と同様である。
【００９６】
実施の形態２の携帯端末機２００は、フロントケース２１０の構造が実施の形態１の携帯端末機１００と異なる。実施の形態２の携帯端末機２００は、フロントケース２１０以外の構成は、実施の形態１の携帯端末機１００と同様である。
【００９７】
図８に示すように、実施の形態２の携帯端末機２００は、フロントケース２１０の下部２１０Ａに、溝部２１０Ｂが形成されている。溝部２１０Ｂには、アンテナエレメント１５０が挿入されている。
【００９８】
すなわち、実施の形態２の携帯端末機２００では、アンテナエレメント１５０及びＬＣＤ板金１２０は、インサート成型によってフロントケース２１０に固定されているのではなく、アンテナエレメント１５０は、フロントケース２１０の溝部２１０Ｂに嵌着されている。実施の形態２では、アンテナエレメント１５０がフロントケース２１０の溝部２１０Ｂに差し込まれることにより、ＬＣＤ板金１２０とフロントケース２１０が固定されている。また、アンテナエレメント１５０と充電端子１１５との間には、スペーサ２１７が設けられている。
【００９９】
なお、図８では、理解しやすくするために、溝部２１０Ｂの幅をアンテナエレメント１５０の厚さよりも示すが、実際には、溝部２１０Ｂの幅は、アンテナエレメント１５０の厚さと略同一であり、アンテナエレメント１５０は、溝部２１０Ｂに嵌着されている。
【０１００】
以上のように、実施の形態２の携帯端末機２００によれば、ＬＣＤ板金１２０とアンテナエレメント１５０は、同一の板金で一体的に形成されているので、比較例の携帯端末機１０に比べて部品点数を減らすことができ、製造コストを低減することができる。
【０１０１】
また、実施の形態２の携帯端末機２００は、アンテナエレメント１５０がフロントケース２１０の溝部２１０Ｂに嵌着されている。
【０１０２】
従って、携帯端末機２００の下部をＬＣＤ板金１２０及びアンテナエレメント１５０で補強することができ、携帯端末機２００の下部の強度を増大することができる。
【０１０３】
以上、本発明の例示的な実施の形態１、２の携帯端末機について説明したが、本発明は、具体的に開示された実施の形態に限定されるものではなく、特許請求の範囲から逸脱することなく、種々の変形や変更が可能である。
以上の実施の形態に関し、さらに以下の付記を開示する。
（付記１）
ＬＣＤが実装され、接地されるＬＣＤ板金と、
一端が前記ＬＣＤ板金に接続され、前記一端と他端との間に給電点を有し、前記ＬＣＤ板金と同一の板金で形成されるアンテナエレメントと
を含む、携帯端末機。
（付記２）
前記ＬＣＤ板金は平面視で長方形であり、
前記アンテナエレメントは、前記ＬＣＤ板金の長手方向の端部において、前記一端が前記ＬＣＤ板金に接続される、付記１記載の携帯端末機。
（付記３）
前記ＬＣＤ、前記ＬＣＤ板金、及び前記アンテナエレメントを収納する筐体をさらに含み、
前記アンテナエレメントは、前記筐体に固定される、付記１又は２記載の携帯端末機。
（付記４）
前記アンテナエレメントは、インサート成型によって少なくとも一部が前記筐体と一体的に形成されることにより、前記筐体に固定される、付記３記載の携帯端末機。
（付記５）
前記アンテナエレメントは、少なくとも一部が前記筐体に形成された溝部に嵌着されることによって前記筐体に固定される、付記３記載の携帯端末機。
（付記６）
前記アンテナエレメントは、逆Ｆ型のアンテナエレメントである、付記１乃至５のいずれか一項記載の携帯端末機。
【符号の説明】
【０１０４】
３０  プリント基板
１００、２００  携帯端末機
１１０、２１０  フロントケース
１２０  ＬＣＤ板金
１５０  アンテナエレメント
１５１  一端
１５２  角部
１５３  他端
１５４  給電点
１５５Ａ、１５５Ｂ、１５５Ｃ  孔部
２１０Ｂ  溝部
【図１】
2014022785.tif 000003
【図２】
2014022785.tif 000004
【図３】
2014022785.tif 000005
【図４】
2014022785.tif 000006
【図５】
2014022785.tif 000007
【図６】
2014022785.tif 000008
【図７】
2014022785.tif 000009
【図８】
2014022785.tif 000010